(57)【要約】【課題】折り畳んだ際の厚みを小さくできるようにしてコンパクトに折り畳むことができると共に、干し物を干す部分を効率よく使用することができる物干し台を提供する。【解決手段】左右の縦枠材１１と上下の横枠材１２とが枠用継手２を介して矩形に形成された複数の枠体１間に、横杆用継手２を介して少なくとも２本の横杆３が差し渡されて、複数の前記枠体１どうしが折り畳み可能に形成されると共に、前記横枠材１２の端部が前記枠用継手２に挿入され、前記枠用継手２の内部を貫通して固定ネジＮ１が螺入されることによって、前記枠用継手２と前記横枠材１２が固定されてなり、前記枠用継手２は前記縦枠材１１の外形と同形となされ、かつ前記横枠材１２を挿入する部位には横方向に突出する突部を備えていないようにする。【選択図】        図１
2019126648.tif 000002
【特許請求の範囲】
【請求項１】
一対の支柱杆の上部及び下部間に亘って横杆が架設され、
上部横杆には支持杆が回動可能に取付けられ、
下部横杆には横棒材が回動可能に取付けられると共に、前記横棒材に取付けられた連結部材が支持杆を移動可能に取付けられて横棒材が下部横杆と支持杆とに差し渡されている
ことを特徴とする物干し台。
【請求項２】
前記連結部材は、横棒材に取付けられる横棒材取付部材と、支持杆を移動可能に取付けられる支持杆取付部材とを備え、横棒材取付部材と支持杆取付部材とが回動軸部材により回動可能になされていることを特徴とする請求項１に記載の物干し台。
【請求項３】
連結部材を支持杆の下部まで移動させた状態で、前記横棒材と支持杆とにより形成される角度が９０度以下となされる様に形成されていることを特徴とする請求項２に記載の物干し台。
【請求項４】
前記支持杆の下端部に支持杆受け材が取付けられていることを特徴とする請求項１から３のいずれか一項に記載の物干し台。
【発明の詳細な説明】
【技術分野】
【０００１】
本発明は、折り畳んで収納できると共に、展開して使用することができる物干し台に関するものである。
【背景技術】
【０００２】
物干し台については、従来から種々の提案がなされており、例えば特許文献１には、第１支柱支持体２と第２支柱支持体３とを竿連結アーム４１、中間連結アーム４２、ベース連結アーム４３で連結されたものがある。更に、第１支柱２１、第１ベースアーム２２、第１筋交いアーム２３とは相互の交点を回転軸で、回転可能に連結され、三角形のリンクを構成し、第１支柱２１と第１筋交いアーム２３とは第１支柱２１をスライド自在に移動する第１スライドジョイント２４を介して連結されている。そして、第１スライドジョイント２４を第１支柱２１の先端側へスライドさせると、第１筋交いアーム２３と第１ベースアーム２２とが第１支柱２１へ接近し、これらがほぼ一直線上となり、コンパクトに折り畳むことができる。
【０００３】
しかし、特許文献１では、三角形のリンクを構成するため、三箇所において、回転軸で枢着する必要があり（合計６箇所で枢着）、また、第１支柱２１と第１筋交いアーム２３とは第１支柱２１をスライド自在に移動する第１スライドジョイント２４を介して連結されているため、構造的に複雑となり、コストも高くならざるを得なかった。また、折り畳んだり、組み立てる際に、第１支柱２１表面に対して、第１スライドジョイント２４をスライドさせて移動される必要があるため、摩擦等によって、スライドがうまく行えないといった問題点もあった。
【０００４】
そこで、その問題点を解消するために、特許文献２に開示されている様に、一対の支柱が離間して平行に配された干し器本体部と、前記干し器本体部の上部に設けられた物干し部と、前記一対の支柱と同じ幅に設定された略Ｕ字状部材の両先端部が、同じ方向にくの字状に折曲されて、本体の両端部に当接部が形成された一対の支持杆を用いた支持脚と、前記干し器本体部の支柱下部に設けられた下部連結部を備え、前記下部連結部として、一対の支柱下部の両側に設けられた連結板に対して、干し器本体部の前後に、当接部が外側を向くように、一対の支持杆が平行に配され、支持杆の折曲部が回動自在に枢着されており、支持杆の当接部を内側に回転させると、当接部が、干し器本体部の支柱を前後から挟み込んで、一対の支持杆の本体が、側面視ハの字状に当接支持されて、組み立て状態に保持される物干し台が提案されている。
【０００５】
これにより、脚としての構造が、二本の支持杆が、連結板の４箇所に枢着された簡単な構造であるため、部品点数が少なく、コストを安価とすることができると共に、組み立てや折り畳みを、支持脚の支持杆を回動させるだけで行うことができるので、滑らかな動きによって、ワンタッチで且つ簡単に行うことができる。
【先行技術文献】
【特許文献】
【０００６】
【特許文献１】実用新案登録第３０９８０３６号公報（図１及び図２）
【特許文献２】特開２００９−１７２０７０号公報（図１、図４、図６及び図７）
【発明の概要】
【発明が解決しようとする課題】
【０００７】
しかしながら、上記従来の特許文献２に記載の物干し台においては、脚部構造において部品点数が少なく安価に製作できると共に、組み立てや折り畳みをワンタッチで簡単に行うことができるものの、支持杆の当接部を内側に回転させると、当接部が、干し器本体部の支柱を前後から挟み込んで、一対の支持杆の本体が、側面視ハの字状に当接支持されて、ワンタッチで組み立て状態にされると言うことから、布団などの干し物を干した状態で、横方向から外力が作用すると容易に折り畳まれて、図７の如く干し部が閉止状態となり、結果、干し物が落下したり、あるいは、干し物の内側面どうしが当接されて、風通しが悪くなり、乾き難い状態となってしまうと言う問題点があった。
【０００８】
本発明は、折り畳んだ際の厚みを小さくできるようにしてコンパクトに折り畳むことができ、かつ、干し物を干している状態において、干し物に横方向の外力が作用しても、容易に折り畳まれず、干し物の風通しのよい状態を保持することができる物干し台を提供せんとするものである。
【課題を解決するための手段】
【０００９】
上記目的を達成するために、本発明は次のような構成としている。
すなわち本発明に係る物干し台は、一対の支柱杆の上部及び下部間に亘って横杆が架設され、上部横杆には支持杆が回動可能に取付けられ、下部横杆には横棒材が回動可能に取付けられると共に、前記横棒材に取付けられた連結部材が支持杆を移動可能に取付けられて横棒材が下部横杆と支持杆とに差し渡されていることを特徴とするものである。
【００１０】
また本発明に係る物干し台は、前記連結部材は、横棒材に取付けられる横棒材取付部材と、支持杆を移動可能に取付けられる支持杆取付部材とを備え、横棒材取付部材と支持杆取付部材とが回動軸部材により回動可能になされていることを特徴とするものである。
【００１１】
また本発明に係る物干し台は、連結部材を支持杆の下部まで移動させた状態で、前記横棒材と支持杆とにより形成される角度が９０度以下となされる様に形成されていることを特徴とするものである。
【００１２】
また本発明に係る物干し台は、前記支持杆の下端部に支持杆受け材が取付けられていることを特徴とするものである。
【発明の効果】
【００１３】
本発明に係る物干し台によれば、一対の支柱杆の上部及び下部間に亘って横杆を架設し、上部横杆には支持杆を回動可能に取付け、下部横杆には横棒材を回動可能に取付けると共に、前記横棒材に取付けた連結部材を支持杆を移動可能に取付けて横棒材を下部横杆と支持杆とに差し渡しているため、物干し台の収納状態である閉止された状態から使用状態である展開した状態にする際、前記連結部材を支持杆の上方から下方に移動させるだけで、支持杆と横棒材とが回動し物干し台を展開することが非常に容易にできる。また逆に、物干し台を片付ける際には、前記連結部材を支持杆の下方から上方に移動させるだけで、支持杆と横棒材とが回動し物干し台を閉止することが非常に容易にできる。
【００１４】
また本発明に係る物干し台によれば、前記連結部材には、横棒材に取付けられる横棒材取付部材と、支持杆を移動可能に取付けられる支持杆取付部材とが備えられ、横棒材取付部材と支持杆取付部材とが回動軸部材により回動可能になされているので、物干し台を使用するために展開する場合と、収納するために閉止する場合とにおいて、効率よく展開・閉止することができる。
【００１５】
また本発明に係る物干し台によれば、連結部材を支持杆の下部まで移動させた状態で、前記横棒材と支持杆とにより形成される角度を９０度以下となる様に形成しているので、物干し台を展開し布団などの干し物を干した状態で、横方向から外力が作用しても、前記横棒材と支持杆とを連結している連結部材は支持杆の上方に移動し難くなっているため、物干し台が容易に折り畳まれて閉止されず、干し物の風通しのよい状態を保持することができる。
【００１６】
また本発明に係る物干し台によれば、前記支持杆の下端部に支持杆受け材を取付けているので、物干し台を展開し布団などの干し物を干した状態で、横方向から外力が作用しても、支持杆受け材が機能することで、物干し台が転倒し難くなっている。
【図面の簡単な説明】
【００１７】
【図１】本発明に係る物干し台の一つの実施形態であって、その使用状態を示す斜視図である。
【図２】図１に示す物干し台の正面図である。
【図３】図１に示す物干し台の平面図である。
【図４】図１に示す物干し台の底面図である。
【図５】図１に示す物干し台の左側面図である。
【図６】図１に示す物干し台の右側面図である。
【図７】図１に示す物干し台の背面図である。
【図８】図２に示すＡ−Ａ断面図である。
【図９】図７に示すＢ−Ｂ断面図である。
【図１０】図９に示すＣ部の拡大図である。
【図１１】図９に示すＤ部の拡大図である。
【図１２】図９に示すＥ部の拡大図である。
【図１３】図１に示す物干し台の収納状態を示す斜視図である。
【図１４】図１３に示す物干し台の正面図である。
【図１５】図１３に示す物干し台の平面図である。
【図１６】図１３に示す物干し台の底面図である。
【図１７】図１３に示す物干し台の左側面図である。
【図１８】図１３に示す物干し台の右側面図である。
【図１９】図１３に示す物干し台の背面図である。
【図２０】図１に示す物干し台の使用状態から収納状態への移行する状態を示す説明図である。
【図２１】図１に示す物干し台を構成する連結部材のうち、支持杆取付部材の１つの実施形態を示す、（ａ）は正面図、（ｂ）は左側面図、（ｃ）は右側面図、（ｄ）は平面図、（ｅ）は底面図、（ｆ）は（ｂ）に示すＦ−Ｆ断面図、（ｇ）は（ｄ）に示すＧ−Ｇ断面図、（ｈ）は（ｂ）に示すＨ−Ｈ断面図である。
【図２２】図１に示す物干し台を構成する連結部材のうち、横棒材取付部材の１つの実施形態を示す、（ａ）は正面図、（ｂ）は平面図、（ｃ）は右側面図、（ｄ）は背面図、（ｅ）は（ａ）に示すＪ−Ｊ断面図である。
【発明を実施するための形態】
【００１８】
次に、本発明につき実施形態を取り上げて説明を行う。なお、本実施形態はあくまでも本発明を理解するための一例を示したに過ぎず、各部の形状、構造、材質等に関し、本実施形態以外のバリエーションが、本発明の要旨を逸脱しない範囲内で許容されていることは言うまでもない。また、図１に矢印で示す方向を、それぞれ前（正面）、後（背面）、左、右、上、下の方向とする。
【００１９】
Ｐは本発明に係る物干し台であり、一対の支柱杆１間の上部及び下部間に亘ってそれぞれ１本ずつ合計２本の横杆２が架設され、１本の上部横杆２１には支持杆３が回動可能に取付けられ、１本の下部横杆２２には横棒材４が回動可能に取付けられると共に、前記横棒材４に取付けられた連結部材５が支持杆３を移動可能に取付けられて横棒材４が下部横杆２２と支持杆３とに差し渡されている。そして、前記支持杆３の下端部には、Ｔ字状の支持杆受け継手９を介して横棒状の支持杆受け材６が取付けられ、支持杆３と支持杆受け材６とが正面視（背面視）でＴ字状となる様に形成されている。
【００２０】
前記支柱杆１、横杆２、支持杆３、横棒材４、支持杆受け材６は、パイプ材の外周に合成樹脂が被覆されて形成されている。そして該パイプ材は、鉄、ステンレス、アルミニウム合金等の金属、あるいは、ポリプロピレン、ポリスチレン、ポリ塩化ビニル、ポリ塩化ビニリデン、ポリカーボネート、ポリエチレンテレフタレート、ポリブチレンテレフタレート、ポリエチレンナフタレート、ポリアミド、ポリウレタン、ポリアクリロニトリル、ＡＢＳ、ＡＡＳ、フェノール樹脂、不飽和ポリエステル樹脂、エポキシ樹脂、ＦＲＰ等の合成樹脂からなる管状体が用いられ、その断面形状は、本実施形態に示すように、断面が真円形状のものが好適に使用される。
【００２１】
前記パイプ材の外周に形成されている合成樹脂製の被覆層は、その厚みが０．２〜０．５ｍｍ程度のものであり、前記合成樹脂の種類はポリ塩化ビニル、ポリプロピレン、ポリエチレン、エチレンー酢酸ビニル共重合体、ＡＢＳ樹脂、繊維素系樹脂、ポリアミド、ポリスチレン等が使用される。
【００２２】
前記支柱杆１と上部横杆２１とは逆Ｌ字状継手７を介して接続され、前記支柱杆１と下部横杆２２とはＩ字状継手８を介して接続され、一対の支柱杆１と上部横杆２１と下部横杆２２とが縦長の矩形に枠組みされて形成されている。詳細には、前記逆Ｌ字状継手７は、上下方向に配置された筒状体７１の上端に左右方向に配置された筒状体７２が一体的に取付けられて、逆Ｌ字状に形成されている。そして、前記筒状体７１の下方から支柱杆１が挿入され、筒状体７２の横方向から上部横杆２１が挿入されるようになされている。
【００２３】
また、前記Ｉ字状継手８は一端が閉塞され他端が解放された筒状体から成り、解放された挿入孔８１から前記支柱杆１が挿入され、前記挿入孔８１に近い前記Ｉ字状継手８の側壁８２に蝶ネジＴ１が螺入されて、さらに前記蝶ネジＴ１を支柱杆１の側壁を貫通させて螺入させ、支柱杆１とＩ字状継手８とが固定されている。そして、前記Ｉ字状継手８は支柱杆１の外形と同形となされている。すなわち、本実施形態においては前記支柱杆１が円筒状のパイプで形成されているので、Ｉ字状継手８はその外形が円柱状に形成されている。また、前記Ｉ字状継手８の閉塞されている側の側壁８２には下部横杆挿入孔８３が形成されて、この下部横杆挿入孔８３に前記下部横杆２２の端縁が挿入されている。
【００２４】
前記連結部材５は、横棒材４に取付けられる横棒材取付部材５１と、支持杆３を移動可能に取付けられる支持杆取付部材５２とを備え、横棒材取付部材５１と支持杆取付部材５２とが回動軸部材５３により回動可能になされている。さらに詳細には、前記横棒材取付部材５１は一端が解放され他端が閉塞された筒状体部５１１の閉塞端部から凸部５１２が突出されて成り、解放された挿入孔５１３から前記横棒材４が挿入されている。そして前記突部５１２には、前記回動軸部材５３が挿通される透孔５１４が設けられており、その透孔５１４に前記回動軸部材５３が挿通されるようになされている。また前記筒状体部５１１の側面にはネジ孔５１５が貫通されて設けられており、そのネジ孔５１５に固定ネジＮ２を螺入し、前記挿入孔５１３から挿入されている横棒材４の側壁を貫通して螺入されて、横棒材取付部材５１と横棒材４とが固定されている。
【００２５】
前記支持杆取付部材５２は側面視で逆Ｌ字状に、平面視で小判形状に形成され、上下方向に長い中空状の支持杆取付部材本体５２１の上部側面に短筒状の摺動部５２２が突設されている。さらに詳細には、前記支持杆取付部材本体５２１は正面視でその下部の前後側面が切り欠かれ、その下部の左右側面が対向するように形成され、その下部の左右側面には相対向する位置に貫通孔５２３が設けられている。そして、前記支持杆取付部材本体５２１の下部の切り欠かれた部分に、前記横棒材取付部材５１が挿入され、そこに設けられている前記透孔５１２と、支持杆取付部材本体５２１の下部の左右側面に設けられている貫通孔５２３とに、前記回動軸部材５３が挿通されて、連結部材５が形成されている。また、前記摺動部５２２には前記支持杆３が挿入され、連結部材５が支持杆３を上下に移動可能となされている。
【００２６】
また、前記支持杆取付部材５２にはその左右側面にそれぞれ円形状の凹部５２４が設けられている。これは、物干し台Ｐを使用するために収納状態の閉止した状態から物干し台Ｐを展開する際や、物干し台Ｐを使用状態の展開している状態から閉止して収納する際に、前記凹部５２４に指を引っ掛けて連結部材５を支持杆３の上下方向に移動させやすくするために、凹部５２４を支持杆取付部材５２に設けている。
【００２７】
図１〜１２に示す物干し台Ｐを使用する状態（展開状態）において、特に図１，５，６，９，１１に示す様に、前記連結部材５を支持杆３の下部まで移動させた状態で、前記横棒材４と支持杆３とにより形成される角度が９０度以下となされる様に形成されている。このように形成することによって、物干し台Ｐを展開し布団などの干し物を干した状態で、横方向から外力が作用しても、前記横棒材４と支持杆３とを連結している連結部材５は支持杆４の上方に移動し難くなっているため、物干し台Ｐが容易に折り畳まれて閉止されず、干し物の風通しのよい状態を保持することができる。
【００２８】
前記上部横杆２１と支持杆３とは、２個の筒状体をＴ字状に形成した回動継手Ｋを介して、上部横杆２１と支持杆３とが正面視（背面視）でＴ字状になる様になされている。つまり、前記回動継手Ｋの横筒部Ｋ１に上部横杆２１を挿通し、前記回動継手Ｋの縦筒部Ｋ２に支持杆３を挿通して、それらがＴ字状になる様にしている。そして、前記上部横杆２１を挿通した横筒部Ｋ１の左右に短尺の円筒体からなる押え材１０を配置して、この押え材１０の側壁に固定ネジＮ１を螺入し、さらにこの固定ネジＮ１を前記上部横杆２１の側壁を貫通させて螺入し、上部横杆２１と押え材１０とを固定することにより、前記上部横杆２１と支持杆３とが回動可能に固定されている。
【００２９】
これと同様に、下部横杆２２と横棒材４も、２個の筒状体をＴ字状に形成した回動継手Ｋを介して、下部横杆２２と横棒材４とが平面視（底面視）でＴ字状になる様になされている。つまり、前記回動継手Ｋの横筒部Ｋ１に下部横杆２２を挿通し、前記回動継手Ｋの縦筒部Ｋ２に横棒材４を挿通して、それらがＴ字状になる様にしている。そして、前記下部横杆２２を挿通した横筒部Ｋ１の左右に短尺の円筒体からなる押え材１０を配置して、この押え材１０の側壁に固定ネジＮ１を螺入し、さらにこの固定ネジＮ１を前記下部横杆２２の側壁を貫通させて螺入し、下部横杆２２と押え材１０とを固定することにより、前記下部横杆２２と横棒材４とが回動可能に固定されている。
【００３０】
図２０に示す様に、物干し具Ｐを使用状態である展開した状態から、前記連結部材５の支持杆取付部材５２を上方に移動させていくことで、簡単に物干し具Ｐを閉止し収納状態とすることができる。
【００３１】
前記上部横杆２１の両端部には、上部横杆２１と同形で小形となされた延長パイプ２３が左右にそれぞれ設けられている。物干し具Ｐの収納状態においては、前記延長パイプ２３は上部横杆２１内に収納された状態となされている。そして、前記延長パイプ２３を左右側方に引き出して回動させることにより、前記上部横杆２１と延長パイプ２３とが固定できるような固定構造Ｓ（図８参照）を備えているので、物干し具Ｐを展開して使用状態にした時、前記延長パイプ２３を左右側方に引き出して上部横杆２１と固定しさえすれば、干し物を干す範囲を広く取ることができるようになされている。
【００３２】
なお本実施形態において、前記支柱杆１、支持杆３、横棒材４、支持杆受け材６を円筒状のパイプで形成しているが、特にこれに限定されるものではなく、四角筒状や六角形状等のパイプであっても良い。しかし、前記横杆２、つまり上部横杆２１及び下部横杆については、円筒状に限定される。
【符号の説明】
【００３３】
１  支柱杆
２  横杆
２１  上部横杆
２２  下部横杆
２２  延長パイプ
３  支持杆
４  横棒材
５  連結部材
５１  横棒材取付部材
５１１  筒状体部
５１２  凸部
５１３  挿入孔
５１４  透孔
５１５  ネジ孔
５２  支持杆取付部材
５２１  支持杆取付部材本体
５２２  摺動部
５２３  貫通孔
５２４  凹部
５３  回動軸部材
６  支持杆受け材
７  逆Ｌ字状継手
７１  筒状体
７２  筒状体
８  Ｉ字状継手
８１  挿入孔
８２  側壁
８３  下部横杆挿入孔
Ｐ  物干し台
Ｔ１  蝶ネジ
Ｎ１，Ｎ２  固定ネジ
Ｓ  固定構造
【図１】
2019126648.tif 000003
【図２】
2019126648.tif 000004
【図３】
2019126648.tif 000005
【図４】
2019126648.tif 000006
【図５】
2019126648.tif 000007
【図６】
2019126648.tif 000008
【図７】
2019126648.tif 000009
【図８】
2019126648.tif 000010
【図９】
2019126648.tif 000011
【図１０】
2019126648.tif 000012
【図１１】
2019126648.tif 000013
【図１２】
2019126648.tif 000014
【図１３】
2019126648.tif 000015
【図１４】
2019126648.tif 000016
【図１５】
2019126648.tif 000017
【図１６】
2019126648.tif 000018
【図１７】
2019126648.tif 000019
【図１８】
2019126648.tif 000020
【図１９】
2019126648.tif 000021
【図２０】
2019126648.tif 000022
【図２１】
2019126648.tif 000023
【図２２】
2019126648.tif 000024